(57)【要約】【課題】前額深部温と足底深部温の変化の度合いにより、臨終を予測することができる生体モニタリング装置の提供。【解決手段】前額深部敦測定部、足裏温測定部を備え、連続または間歇で前額深部温及び足裏温を測定し、測定された前記前額深部温と測定された前記足裏温が所定温度以上となる期間が所定時間（分）を超えると臨終が近いと判断し、その旨を表示するようにしたことを特徴とする。また、測定された前記前額深部温と測定された前記足裏温をトレンド表示する表示部をさらに備えることを特徴とする。【選択図】図１
2009219665.tif 000002
【特許請求の範囲】
【請求項１】
前額深部温測定部、足裏温測定部または手のひら温測定部を備え、連続または間歇で前額深部温及び足裏温または手のひら温を測定し、測定された前記前額深部温と測定された前記足裏温が所定温度以上となる期間が所定時間（分）を超えると臨終が近いと判断し、その旨を表示するようにしたことを特徴とする生体モニタリング装置。
【請求項２】
測定された前記前額深部温と測定された前記足裏温をトレンド表示する表示部をさらに備えることを特徴とする請求項１に記載の生体モニタリング装置。
【請求項３】
前額深部敦測定部は、温度測定部を有するＩＣタグであることを特徴とする請求項１に記載の生体モニタリング装置。
【請求項４】
前記足裏温測定部は、温度測定部を有するＩＣタグであることを特徴とする請求項１に記載の生体モニタリング装置。
【請求項５】
前記手のひら温測定部は、温度測定部を有するＩＣタグであることを特徴とする請求項１に記載の生体モニタリング装置。
【発明の詳細な説明】
【技術分野】
【０００１】
本発明は、生体モニタリング装置、特に測定された体温情報により、臨終を予測する生体モニタリング装置に関する。
【背景技術】
【０００２】
皮下（特に、末梢）の血流温度を反映した深部温度（深部体温）を頭部及び足裏等数ケ所で連続的（間歇的）にモニタ（監視）することは、臨床上、外科における手術後の患者の経過状態の確認などで有用性が認められている。
【０００３】
従来、このような深部温度測定装置は、専ら手術後の患者の経過状態をモニタするもので、例えば、前額深部温と足底深部温を連続測定し、徐々に温度乖離があると深部温は麻酔深度のパラメータであり、麻酔剤の投与量を加減し、その後の深部温の変化を観察できるようにしている（非特許文献１：心臓外科における深部体温計測  辻隆之  １９８１年）。しかしながら、前額深部温と足底深部温の変化の度合いにより、臨終を予測するような生体モニタリング装置は未だ提案されていない。
【非特許文献１】心臓外科における深部体温計測  辻隆之  １９８１年
【発明の開示】
【発明が解決しようとする課題】
【０００４】
本発明の目的は、前額深部温と、足底深部温または手のひら温の深部温との差の変化の度合いにより、臨終を予測することができる生体モニタリング装置を提供することにある。
【課題を解決するための手段】
【０００５】
上記目的を達成するために、本発明の生体モニタリング装置は、前額深部温測定部、足裏温測定部を備え、連続または間歇で前額深部温及び足裏温または手のひら温を測定し、測定された前額深部温と測定された足裏温または手のひら温が所定温度以上となる期間が所定時間（分）を超えると臨終が近いと判断し、その旨を表示するようにしたことを特徴とする。また、測定された前額深部温と測定された足裏温または手のひら温をトレンド表示する表示部をさらに備えることを特徴とする。また、前額深部敦測定部は、温度測定部を有するＩＣタグであることを特徴とする。また、足裏温測定部は、温度測定部を有するＩＣタグであることを特徴とする。また、手のひら温測定部は、温度測定部を有するＩＣタグであることを特徴とする。
【発明の効果】
【０００６】
本発明によれば、前額深部温と、足底深部温または手のひら温の深部温との差の変化の度合いにより、臨終を予測する生体モニタリング装置が得られる。
【発明を実施するための最良の形態】
【０００７】
以下、本発明の生体モニタリング装置を添付図面に示す実施例に基づいて詳細に説明するが実施例に限定されるものではない。図１は、本発明の実施例の生体モニタリング装置１の外観概略図である。生体モニタリング装置１は、装置本体２と温度を検出（測定）するプローブ３ａ，３ｂと、装置本体２とプローブ３ａ，３ｂをケーブル５ａ，５ｂを介して接続するプローブコネクタ（コネクタ部）４とからなっている。プローブ３ａ，３ｂとプローブコネクタ４とケーブル５ａ，５ｂは、一体に形成されており、広義のプローブと呼ばれる。なお、図１（ｃ）のように、半導体型の温度センサ、例えばＣ−ＭＯＳ温度センサを備えたＩＣを含むプローブ３ａ，３ｂとし、外部通信部２１で、ＩＳＯ１４４４５やＩＳＯ１８０９２によって規定される１３．５６ＭＨｚのキャリア周波数の電磁波，９５０ＭＨｚ帯域のキャリア周波数の電波，２．５ＧＨｚのキャリア周波数の電波のいずれかで無線で、前額深部温，足裏深部温または手のひら深部温を取得するようにしてもよい。    
【０００８】
装置本体２は、プローブコネクタ（コネクタ部）４に接続されるプローブ３ａから温度情報を取り込むチャンネルをＡチャンネル、プローブコネクタ（コネクタ部）４ｂに接続されるプローブ３ｂから温度情報を取り込むチャンネルをＢチャンネルと呼ぶことにする。即ち、少なくともＡ，Ｂチャンネルで患者Ｐの深部体温を測定するようになっている。ここでは、便宜上、Ａチャンネルを前額深部温測定用、Ｂチャンネルを足裏温または手のひら温測定用としている。
【０００９】
Ａ、Ｂ各チャンネルで測定された前額深部温、足裏深部温または手のひら深部温は、それぞれ、ＬＥＤ表示部８とＬＥＤ表示部９に表示される。大型のカラーＬＣＤ（または有機ＥＬ）表示部（表示器）１０では、プローブ３ａ，３ｂから得た前額深部温、足裏深部温または手のひら深部温をトレンド表示するようになっていて、測定された前額深部温と測定された足裏深部温または手のひら深部温の乖離の度合いが一瞥できるようになっている。また、装置本体正面の上部の両サイドにあるＬＥＤ表示器（好ましくは、７セグメントＬＥＤ表示器）からなるＬＥＤ表示部８とＬＥＤ表示部９に表示される。また、Ａ、Ｂ各チャンネルに接続されるプローブ３ａ，３ｂのヒーター制御状態を、それぞれ、表示部８、９の傍に表示するようにしてもよい。大型のカラーＬＣＤ（または有機ＥＬ）表示部（表示器）１０では、プローブ３ａ，３ｂから得た前額深部温、足裏温をトレンド表示するようになっている。また装置全体の制御を行う、マイクロコンピュータなどのＣＰＵ２０、ＣＰＵ２０により実行される装置全体の制御プログラムや各種データを記憶するＲＯＭＳ１５、ワークエリアとして、測定データや各種データを一時的に記憶するＲＡＭ１４などを備える。
【００１０】
体温モニタ処理フロー
体温モニタの処理フローについて、図１，図２，図３を参照して説明する。なお、交換神経支配領域の末梢部としては、足裏，手のひらがあるが、ここでは足裏深部温を用いて説明する。図１において、前額深部温を測定するためにプローブ３ａを患者Ｐの前額部に貼付け、一方、足裏深部温を測定するためにプローブ３ｂを患者Ｐの左右いずれかの足裏に貼付ける。なお、プローブ３ａ，プローブ３ｂともにサーミスタなどの温度センサは患者Ｐの前額部，足裏部に接触する部分以外は、発泡ウレタン等の軽量の断熱部材で囲包されている。
【００１１】
医療従事者などの使用者は、まず、操作部１１のメイン電源スイッチ１１ａをＯＮし、測定動作を開始させる（ステップＳ１）。プローブ３ａ，プローブ３ｂで、それぞれ前額深部温，足裏深部温を測定（読取り）し、記憶部１３に順次記憶し、ＬＥＤ表示部８に額深部温、ＬＥＤ表示部９８に足裏深部温が同時に表示される。また、表示部１０で、前額深部温，足裏深部温のトレンド値が図２のように表示される（ステップＳ２）。トレンド表示は、それぞれ色別表示するようにしてもよい。また、強心剤等を投与した場合には、メモ入力キー１１ｂでその種類と投与量、投与時刻を入力するとその内容が表示部１０に前額深部温，足裏深部温のトレンド値と併せて表示される。
【００１２】
プローブ３ｂで測定された足裏深部温が所定の値、例えば３０℃以下であるか否かが判断される（ステップＳ３）。測定された足裏深部温が３０℃以下であると判断されると、プローブ３ａで測定された前額深部温との差が所定の値、例えば６℃（閾値）以上であるか否かが判断される（ステップＳ４）。このとき、重篤な事態が近づいていることを視認しやすいように、表示部１０の背景色を例えばオレンジ色のようにしてもよい。
【００１３】
前額深部温との差が所定の値、例えば６℃（閾値）以上であると判断されると、カウント値がカウントされ始め、所定のカウント値以上、例えば３分以上経過したか否かが判断される（ステップＳ５）。所定のカウント値以上となった場合、さらに重篤な状態であることを視認しやすいように、表示部１０の背景色をアラームとして例えば赤色で表示するようにし、臨終が数１０分後に近づいていることを表示部１０に文字で表示するようにする（ステップＳ６）。これらの処理フローのプログラムは、コンピュータで読み取り可能な記憶媒体の形で、ＲＡＭ１４，ＲＯＭ１５に記憶されており、ＣＰＵ２０で読み出して実行される。
【図面の簡単な説明】
【００１４】
【図１】本発明の実施例を示す図及びブロック図である。
【図２】本発明の実施例に係る表示部に表示される深部温のトレンド表示の例である。
【図３】本発明の実施例に係る処理フローを示す図である。
【符号の説明】
【００１５】
１  生体モニタリング装置、３ａ，３ｂ  プローブ、１０表示部
【図１】
2009219665.tif 000003
【図２】
2009219665.tif 000004
【図３】
2009219665.tif 000005